(57)【要約】【課題】浸入しようとする水の多寡に応じて、止水する高さを簡易に変更できる止水装置を提供する。【解決手段】出入口の両側面及び床面の各々に凹設された収納領域からなる収納部と、床面に凹設された収納領域に折畳可能に収納され、複数の止水軸が出入口の幅方向と平行に、且つ、各々離間して取り付けられた止水用シートと、両側面に凹設された収納領域において上下方向に各々離間して形成され、複数の止水軸の各々と係合するための複数の係合部と、を備え、止水用シートの下端は、床面に凹設された収納領域の底面に固定され、止水用シートは、止水すべき水の水位に応じて、複数の止水軸のうち複数の係合部に係合させる止水軸を切り替え可能である。【選択図】図７
2014047473.tif 000002
【特許請求の範囲】
【請求項１】
出入口の両側面及び床面の各々に凹設された収納領域からなる収納部と、
前記床面に凹設された収納領域に折畳可能に収納され、複数の止水軸が前記出入口の幅方向と平行に、且つ、各々離間して取り付けられた止水用シートと、
前記両側面に凹設された収納領域において上下方向に各々離間して形成され、前記複数の止水軸の各々と係合するための複数の係合部と、を備え、
前記止水用シートの下端は、前記床面に凹設された収納領域の底面に固定され、
前記止水用シートは、止水すべき水の水位に応じて、前記複数の止水軸のうち前記複数の係合部に係合させる止水軸を切り替え可能であることを特徴とする止水装置。
【請求項２】
前記止水用シートの左右端を、前記両端面に凹設された収納領域内の所定の面に圧着可能に取り付けられるとともに、止水すべき水の水位に応じて、取り付ける数を切り替え可能な複数の側方支柱を有することを特徴とする請求項１に記載の止水装置。
【請求項３】
前記止水用シートを、当該止水用シートが止水すべき水の浸入方向と逆側から支持するための補強用支柱を有することを特徴とする請求項１に記載の止水装置。
【請求項４】
前記補強用支柱と、前記両端面に凹設された収納領域との間に横架される連結梁を有することを特徴とする請求項３に記載の止水装置。
【発明の詳細な説明】
【技術分野】
【０００１】
本発明は、建造物の地下室や地下道等の入口通路に設けられ、水の浸入を防止する止水装置に関する。
【背景技術】
【０００２】
大雨や洪水時においては、建造物の地下室や地下道等の入口通路に対する水の浸入を迅速に防止する必要がある。そこで、入口通路を止水するための止水装置に係る各種発明がなされてきた（例えば特許文献１、２参照）。
【０００３】
特許文献１には、通路の一側に設けた止水用直立板の後向き面に軸受板を突設し、軸受板に通路の止水扉開閉用支軸を設けてなり、止水扉の一側端縁寄りの後向き面にＬ形腕を突設し、Ｌ形腕の後端ボス部を支軸に回動自在及び昇降摺動自在に枢支して、止水扉を支軸を中心に開閉自在とし、通路を閉じた止水扉の一側端縁の後向き面が止水用直立板の前向き面に対面し、通路の他側に、止水扉の他側端縁の後向き面に対面する開閉自在の止水直立板を設けてなる通路用止水装置が開示されている。
【０００４】
また特許文献２には、床面と左右の壁面とを有する出入口に設置される止水装置であって、少なくとも一方の壁面に設けられた支持手段と、支持手段に支持された止水扉と、を備え、支持手段は、支軸と、この支軸周りに設けられ、床面に対して止水扉の荷重がかからないように支持する支持部とを有し、止水扉は、壁面に沿うようにして配置される第１の位置にあるときに支持部に支持され、出入口を止水する第２の位置に達したときに、支持部に支持される支持領域から外れて第１の位置にあるときよりも下方に移動した状態となって、出入口を止水する止水装置が開示されている。
【先行技術文献】
【特許文献】
【０００５】
【特許文献１】特許第４２１４１８７号公報
【特許文献２】特開２０１２−３１６５８号公報
【発明の概要】
【発明が解決しようとする課題】
【０００６】
しかしながら、上記特許文献１や特許文献２に開示された止水装置は、一定の高さまでの水の浸入を止水するものとなっており、浸入しようとする水の多寡に応じて止水する高さを変更可能に構成することが望ましかった。
【０００７】
本発明は、上記の点に鑑みてなされたものであり、浸入しようとする水の多寡に応じて、止水する高さを簡易に変更できる止水装置を提供することを目的とする。
【課題を解決するための手段】
【０００８】
上記の目的を達成するために、出入口の両側面及び床面の各々に凹設された収納領域からなる収納部と、前記床面に凹設された収納領域に折畳可能に収納され、複数の止水軸が前記出入口の幅方向と平行に、且つ、各々離間して取り付けられた止水用シートと、前記両側面に凹設された収納領域において上下方向に各々離間して形成され、前記複数の止水軸の各々と係合するための複数の係合部と、を備え、前記止水用シートの下端は、前記床面に凹設された収納領域の底面に固定され、前記止水用シートは、止水すべき水の水位に応じて、前記複数の止水軸のうち前記複数の係合部に係合させる止水軸を切り替え可能であることを特徴とする。
【０００９】
また、上記の目的を達成するために、前記止水用シートの左右端を、前記両端面に凹設された収納領域内の所定の面に圧着可能に取り付けられるとともに、止水すべき水の水位に応じて、取り付ける数を切り替え可能な複数の側方支柱を有することを特徴とする。
【００１０】
また、上記の目的を達成するために、前記止水用シートを、当該止水用シートが止水すべき水の浸入方向と逆側から支持するための補強用支柱を有することを特徴とする。
【００１１】
また、上記の目的を達成するために、前記補強用支柱と、前記両端面に凹設された収納領域との間に横架される連結梁を有することを特徴とする。
【発明の効果】
【００１２】
本発明によれば、浸入しようとする水の多寡に応じて、止水する高さを簡易に変更できる。
【図面の簡単な説明】
【００１３】
【図１Ａ】本実施形態に係る止水装置の概要例を示す図である。
【図１Ｂ】本実施形態に係る止水装置の概要例を示す図である。
【図２】本実施形態に係る止水用シートの一例を示す図である。
【図３】本実施形態に係る第一収納領域の一例を示す図である。
【図４】本実施形態に係る第一の側方支柱の一例を示す図である。
【図５】本実施形態に係る第一の側方支柱を取り付けた場合の止水装置を示す図である。
【図６】本実施形態に係る第二の側方支柱の一例を示す図である。
【図７】本実施形態に係る第二の側方支柱を取り付けた場合の止水装置を示す図である。
【図８】本実施形態に係る補強用支柱の一例を示す図である。
【図９】本実施形態に係る連結梁の一例を示す図である。
【図１０】本実施形態に係る補強用支柱と一段目の連結梁とを取り付けた場合の止水装置を示す図である。
【図１１】本実施形態に係る補強用支柱と一段目の連結梁と二段目の連結梁とを取り付けた場合の止水装置を示す図である。
【発明を実施するための形態】
【００１４】
本技術に係る止水装置は、出入口の両側面及び床面の各々に凹設された収納領域からなる収納領域と、床面に凹設された収納領域に折畳可能に収納され、複数の止水軸が出入口の幅方向と平行に、且つ、各々離間して取り付けられた止水用シートと、両側面に凹設された収納領域において上下方向に各々離間して形成され、複数の止水軸の各々と係合するための複数の係合部と、を備え、止水用シートの下端は、床面に凹設された収納領域の底面に固定され、止水用シートは、止水すべき水の水位に応じて、複数の止水軸のうち複数の係合部に係合させる止水軸を切り替え可能であることにより、浸入しようとする水の多寡に応じて、止水する高さを簡易に変更するものである。以下、本技術の実施形態を説明する。
【００１５】
［止水装置の概要］
図１Ａ及び図１Ｂは、本実施形態に係る止水装置の概要例を示す図である。図１Ａでは、不使用時の止水装置１を示している。図１Ｂでは、使用時の止水装置１を示している。
【００１６】
図１Ａ及び図１Ｂに示す止水装置１は、壁面Ｗ１、Ｗ２を有する建造物の地下室や地下道等の出入口に設置され、図中手前側から奥側に向かう水の浸入を止水するものである。
【００１７】
この止水装置１は、壁面Ｗ１に凹設される第一収納領域１０、壁面Ｗ２に凹設される第二収納領域２０、出入口の床面Ｆに凹設される第三収納領域３０からなる収納部４０を有する。なお、第一収納領域１０及び第二収納領域２０は、それぞれ第三収納領域３０と連通している。
【００１８】
第一収納領域１０は、壁面Ｗ１に凹設された縦長略直方体状の空間領域であり、図１Ａに示すように、ヒンジ１１を介して収納扉１２が開閉可能に取り付けられる。図１Ａ及び図１Ｂでは、それぞれ収納扉１２が閉状態、開状態である場合を示す。第一収納領域１０の内部構造の詳細については後述する。
【００１９】
第二収納領域２０は、壁面Ｗ２に凹設された縦長略直方体状の空間領域であり、図１Ａに示すように、ヒンジ２１を介して収納扉２２が開閉可能に取り付けられる。図１Ａ及び図１Ｂでは、それぞれ収納扉２２が閉状態、開状態である場合を示す。第二収納領域２０の内部構造の詳細については後述する。
【００２０】
第三収納領域３０は、床面Ｆに凹設される横長直方体状の空間領域である。この第三収納領域３０には、四角形状の収納板３１及びＬ字状の収納板３２の二枚の収納板が取外し可能に取り付けられる。図１Ａ及び図１Ｂでは、それぞれ収納板３１、３２を取り付けた状態、取り外した状態を示す。
【００２１】
第三収納領域３０には、図１Ｂに示すように、止水用シート４が折り畳んで収納されている。また止水用シート４以外の止水に用いられる各種部材（例えば図４、図６に示す側方支柱７、８、図８に示す補強用支柱９、図９に示す連結梁１００等）が収納されている。また、第三収納領域３０の奥側略中央には不図示の補強用支柱９（図８参照）を差し込むための差込部３４が形成されている。この差込部３４及び第三収納領域３０の内部構造の詳細については後述する。
【００２２】
以上に示すように、本実施形態に係る止水装置１では、初期状態では壁面Ｗ１、Ｗ２や床面Ｆに凹設された第一収納領域１０、第二収納領域２０、第三収納領域３０に止水用の各種部材が収納されるよう構成されている。
【００２３】
図２は、本実施形態に係る止水用シートの一例を示す図である。ここでは図１の第三収納領域３０に収納される止水用シート４について説明する。
【００２４】
止水用シート４は、液体不透過性のビニール等によって構成される長方形状のシートである。この止水用シート４の下端は、第三収納領域３０の底面において左右に亘って設けられた金属板４１及び金属板４１よりも手前に左右に亘って設けられた金属薄板４２と、第三収納領域３０の底面との間で挟持されるとともに、ボルト等によって第三収納領域３０の底面に固定される。
【００２５】
また、この止水用シート４の下端は、第三収納領域３０の底面に接着剤等によって接着される。このように、止水用シート４の下端が第三収納領域３０の底面に接着固定されることによって、止水用シート４の下端からの水の浸入を防ぐことができる。
【００２６】
また、第三収納領域３０の底面において金属薄板４２の左右両側には、不図示の側方支柱７（図４参照）を差し込むための差込部４３、４４が形成されている。これら差込部４３、４４の詳細については後述する。
【００２７】
また、止水用シート４の上下略中央には、金属製の棒状部材である第一止水軸５が補助シート４５を介して取り付けられる。第一止水軸５の端部５１、５２は円盤状に形成されており、差込部４３、４４の略上方において、第一止水軸５よりも径が大きい軸部５３が形成されている。
【００２８】
また、止水用シート４の上端には、金属製の棒状部材である第二止水軸６が止水用シート４に内包されて取り付けられる。第二止水軸６の端部６１、６２は輪っか状に形成されており、第二止水軸６の略中央には、第二止水軸６よりも径が大きい軸部６３が形成されている。また、第二止水軸６は、厳密には２本の止水軸６４、６５が長さ調整部６６に螺合されて伸縮可能に構成されている。
【００２９】
以上に示すように、本実施形態に係る止水用シート４では、複数（ここでは２本）の止水軸５、６が出入口の幅方向と平行に、且つ、各々離間して取り付けられている。そして、このような止水用シート４を用いて止水する場合、止水すべき水の多寡に応じて、止水する高さを変更する。具体的には、止水すべき水の水位が床面Ｆから第一止水軸５までの高さより低い場合には、第一止水軸５より下側の部分、すなわち止水用シート４の一部を用いて止水する。一方、止水すべき水の水位が床面Ｆから第一止水軸５の高さより高い場合には、第二止水軸６より下側の部分、すなわち止水用シート４の全体を用いて止水する。
【００３０】
図３は、本実施形態に係る第二収納領域の一例を示す図である。ここでは図１Ａの第二収納領域２０の内部構造の一例について説明する。
【００３１】
なお、第一収納領域１０については、第二収納領域２０と左右対称である点を除き同様であるとして、ここでは説明を省略する。また図３では、第二収納領域２０と第三収納領域３０との重複部分（金属板４１、差込部４３）についても図示している。
【００３２】
第二収納領域２０には、金属板４１よりも奥側上下方向に凸部２３が形成されている。この凸部２３の手前面２３Ａの壁側には係合部２４、２５が上下方向に各々離間して形成されている。係合部２４は、第一止水軸５の端部５１（図２参照）が挿入されて係合する。係合部２５は、係合部２４の上方に形成され、第二止水軸６の端部６１（図２参照）が嵌め込まれて係合する。
【００３３】
また凸部２３の側面２３Ｂには、差込部２６Ａ、２６Ｂが形成されている。差込部２６Ａ、２６Ｂの上方は開口しており、後述する連結梁１００の端部１０１等（図９参照）を差し込み可能に構成されている。これら差込部２６Ａ、２６Ｂの側面には円状の開口部２６ａ、２６ｂがそれぞれ形成されている。
【００３４】
また凸部２３の上面２３Ｃには、掛合部２７が形成されている。この掛合部２７は、後述する第二の側方支柱８の上面に形成された止め金具８３（図６参照）と掛合する。
【００３５】
また第二収納領域２０の側面２０Ａにおける第二収納領域２０の底面と係合部２４の略中央の位置において、内側表面にゴム等の弾性部材が貼着されたコの字状の掛合部２８が形成されている。この掛合部２８は、後述する第一の側方支柱７に取り付けられた操作部７５（図４参照）が掛合する。また第二収納領域２０の側面２０Ａの上方には、止水に用いられる各種部材を収納可能に吊り下げるためのフック２９が突設されている。
【００３６】
以上に示すように、第二収納領域２０には、止水時に前述の止水用シート４や止水用の各種部材を取り付けるための各種機構が形成されている。特に止水用シート４の左右端は、凸部２３の手前面２３Ａのうち係合部２４、２５よりも通路側の領域２３Ｄにおいて、不図示の側方支柱（図４、図６参照）との間で挟持され、止水用シート４の左右からの水の浸入を防ぐことができる。
【００３７】
図４は、本実施形態に係る第一の側方支柱の一例を示す図である。第一の側方支柱７は、止水用シート４の一部を用いて止水する場合に用いられる支柱であり、例えば図２の差込部４３、４４に差し込まれる。
【００３８】
図４に示す第一の側方支柱７は、略直方体状の形状をしており、下面手前側に突起部７１が形成されている。この突起部７１は、例えば図２の差込部４３に差し込まれて差込部４３と係合する。
【００３９】
また第一の側方支柱７の上部には、前述の差込部４３と同様の形状をした差込部７２がやや手前側に形成される。この差込部７２は、第一の側方支柱７の上方に設置される第二の側方支柱６（図６参照）と係合する。これに伴い、第一の側方支柱７の上部奥側には凹部７３が形成される。この凹部７２は、例えば図２の軸部５３の下に差し込まれて軸部５３と係合する。
【００４０】
また第一の側方支柱７の前面には、回転軸７４を中心に回動可能な操作部７５が設置されている。この操作部７５は、使用者が把持及び作動可能な把持部７５ａと、把持部７５ａと回転軸７４を挟んで反対側に形成された板部７５ｂとを有する。特に板部７５ｂは、例えば図３の掛合部２８に差し込まれて掛合されることによって、第一の側方支柱７を固定する。
【００４１】
以上に示す第一の側方支柱７は、止水用シート４の一部を用いて止水する場合に、止水用シート４の左右端に配設される。
【００４２】
図５は、本実施形態に係る第一の側方支柱を取り付けた場合の止水装置を示す図である。ここでは、止水装置１の使用時に図４に示した第一の側方支柱７を取り付ける態様について説明する。
【００４３】
なお、説明の便宜上、ここでは止水用シート４の第二収納領域２０側にのみ第一の側方支柱７を取り付ける態様を例に説明するものとし、第一収納領域１０側についての取り付け態様については説明を省略する。また図５では、止水用シート４のうちの第一止水軸５よりも上側の部分については図示を省略している。
【００４４】
前述のように、本実施形態に係る止水装置１の初期状態では、止水用シート４は第三収納領域３０に折り畳んで収納されている。この収納された止水用シート４を取り出して、第一止水軸５の両端部５１、５２を、それぞれ第二収納領域２０に形成された係合部２４、第一収納領域１０に形成された係合部１４に取り付ける。
【００４５】
その後、第一の側方支柱７の下面に形成された突起部７１を、差込部４３に差し込むとともに、第一の側方支柱７の背面側に形成された凹部７３を、第一止水軸５の軸部５３の側方及び下方から嵌め込む。そして、第一の側方支柱７の操作部７５を回転軸７４を中心に回動させて、板部７５ｂを掛合部２８に掛合させる。
【００４６】
以上に示す取り付け動作により、第一の側方支柱７を差込部４３と軸部５３との間に上下方向に設置するとともに、止水用シート４の一端側を第一の側方支柱７と凸部２３との間で挟持し圧着する。これにより、止水用シート４のうち第一止水軸５より下側の部分についての側方からの水の浸入を防ぐことができる。
【００４７】
なお、止水用シート４のうち第一止水軸５より上側の部分については、第一止水軸５を中心に当該止水用シート４を折り曲げることによって、第三収納領域３０側又は第三収納領域３０と逆側に垂らす態様で配設させて良い。
【００４８】
図６は、本実施形態に係る第二の側方支柱の一例を示す図である。第二の側方支柱８は、止水用シート４の全部を用いて止水する場合に用いられる支柱であり、例えば図４の差込部７２に差し込まれる。
【００４９】
図６に示す第二の側方支柱８は、略直方体状の形状をしており、下面手前側に突起部８１が形成されている。この突起部８１は、例えば図４の差込部７２に差し込まれて差込部７２と係合する。
【００５０】
また第二の側方支柱８の上部にはコの字状に開いた凹部８２が形成されている。この凹部８２は、例えば図２の第二止水軸６を軸通するための領域である。また第二の側方支柱８の上面には、止め金具８３が取り付けられている。この止め金具８３は、例えば図３の掛合部２７と掛合する。
【００５１】
以上に示す第二の側方支柱８は、止水用シート４の全部を用いて止水する場合に、止水用シート４の両端で前述の第一の側方支柱７の上方に配設される。
【００５２】
図７は、本実施形態に係る第二の側方支柱を取り付けた場合の止水装置を示す図である。ここでは、止水装置１の使用時に図６に示した第二の側方支柱８を取り付ける態様について説明する。
【００５３】
なお、説明の便宜上、ここでは止水用シート４の第二収納領域２０側にのみ第二の側方支柱８を取り付ける態様を例に説明するものとし、第一収納領域１０側についての取り付け態様については説明を省略する。また、あらかじめ第一の側方支柱７が取り付けられているものとする。
【００５４】
止水装置１に第一の側方支柱７が取り付けられた状態において、止水用シート４の第二止水軸６の両端部６１、６２を、それぞれ第二収納領域２０に形成された係合部２５、第一収納領域１０に形成された係合部１５に取り付ける。この際、長さ調整部６６と止水軸６４又は止水軸６５との間の螺合長さを調整することによって、第二止水軸６の軸長を適宜調整する。
【００５５】
その後、第二の側方支柱８の下面に形成された突起部８１を、第一の側方支柱７の上部に形成された差込部７２に差し込む。そして、第二の側方支柱８の上面に形成された止め金具８３を、第二収納領域２０の掛合部２７に掛合させる。
【００５６】
以上に示す取り付け動作により、第二の側方支柱８を第一の側方支柱７の上方に設置するとともに、止水用シート４の一端側を第一の側方支柱７及び第二の側方支柱８と凸部２３との間で挟持し圧着する。これにより、止水用シート４の全体についての側方からの水の浸入を防ぐことができる。
【００５７】
以上図２〜図７を用いて説明してきたように、本実施形態に係る止水装置１では、壁面Ｗ１、Ｗ２や床面Ｆに凹設された第一収納領域１０、第二収納領域２０、第三収納領域３０及びこれら第一収納領域１０、第二収納領域２０、第三収納領域３０に収納された止水用の各種部材等を用いる。
【００５８】
ここで、止水用シート４は、止水べき水の水位に応じて、第一止水軸５、第二止水軸６のうち係合部１４、２４、１５、２５に係合させる止水軸を、第一止水軸５のみ、又は第一止水軸５、第二止水軸６の両方との間で切り替え可能である。また、取り付けられる側方支柱の数は、二本の第一の側方支柱７（図５参照）と、二本の第一の側方支柱７及び二本の第二の側方支柱８（図７参照）との間で切り替え可能である。これにより、例えば図７の手前側から奥側へ向かう水の浸入、特に、止水用シート４の底面及び両端側からの水の浸入を、水の水位に応じて段階的に防ぐことができる。
【００５９】
図８は、本実施形態に係る補強用支柱の一例を示す図である。補強用支柱９は、止水用シート４を背面側、すなわち図７の奥側から支持する。止水用シート４の背面側とは、止水用シート４が止水すべき水の浸入方向（図７の手前側から奥側）と逆側とも言い換えることができる。
【００６０】
図８に示す補強用支柱９は、略直方体状の形状をしており、下面左右略中央に突起部９１が形成されている。この突起部９１は、図１Ｂの差込部３４に差し込まれて差込部３４と係合する。
【００６１】
また補強用支柱９の両側面には、差込部９２Ａ、９２Ｂ、９３Ａ、９３Ｂが形成されている。差込部９２Ａ、９２Ｂ、９３Ａ、９３Ｂの上方は開口しており、後述する連結梁１００の端部１０１等（図９参照）を差し込み可能に構成されている。これら差込部９２Ａ、９２Ｂ、９３Ａ、９３Ｂの側面には円状の開口部９２ａ、９２ｂ、９３ａ、９３ｂがそれぞれ形成されている。なお、図８では開口部９２ａ、９２ｂのみ図示している。
【００６２】
また補強用支柱９の上面には、第二止水軸６の軸部６３と嵌合するための軸受部９４が形成されており、補強用支柱９の前面には、直角三角形状の支持補助板９５が形成されている。
【００６３】
以上に示す補強用支柱９は、止水用シート４の一部又は全部を用いて止水する場合に、止水用シート４の左右略中央を背面側から支えるよう配設される。
【００６４】
図９は、本実施形態に係る連結梁の一例を示す図である。図９（ａ）では連結梁１００の斜視図を示しており、図９（ｂ）では連結梁１００の背面に取り付けられるロック機構１０３の具体例を示している。
【００６５】
図９（ａ）に示す連結梁１００は、横長直方体状の梁部材であり、両端部１０１、１０２が下方に向かって平板状に延設されている。これら端部１０１、１０２の側面には円状の開口部１０１ａ、１０２ａがそれぞれ形成されている。なお、図８では開口部９２ａ、９２ｂのみ図示している。これら端部１０１、１０２が例えば図３の差込部２６Ａや図８の差込部９２Ａに差し込まれることで、連結梁１００は、差込部２６Ａと差込部９２Ａとを連結する。
【００６６】
このような連結梁１００の下面には、端部１０１、１０２付近にそれぞれロック機構１０３、１０４が設置されている。
【００６７】
図９（ｂ）に示すように、ロック機構１０３は、本体部１０３Ａと、軸部１０３Ｂと、ロック解除ボタン１０３Ｃとを備える構成である。軸部１０３Ｂは、本体部１０３Ａの内部を貫通するとともに一端側が押し下げられることによって、他端側が突き出た状態で軸方向に固定される。なお、他端側が突き出されると、軸部１０３Ｂは、端部１０２に形成された開口部１０２ａを貫通する。ロック解除ボタン１０３Ｃは、本体部１０３Ａの背面に形成され、軸部１０３Ｂの他端の突出しを元に戻す。このようなロック機構１０３は一般的であるとして詳細な説明を省略する。なお、ロック機構１０４については左右対称である点を除いてロック機構１０３と同様であるとして、ここでは説明を省略する。
【００６８】
以上に示す連結梁１００は、止水用シート４の背面側において、補強用支柱９と、第一収納領域の凸部１３、又は第二収納領域２０の凸部２３との間に横架されることによって、同じく止水用シート４の背面側に取り付けられた補強用支柱９を補強する。
【００６９】
図１０は、本実施形態に係る補強用支柱と一段目の連結梁とを取り付けた場合の止水装置を示す図である。ここでは、止水装置１の使用時に図８に示した補強用支柱９及び図９に示した連結梁１００を取り付ける態様について説明する。
【００７０】
なお、説明の便宜上、図１０では図５の奥側から見た止水装置１を示している。また、ここでは止水用シート４の第一収納領域１０側にのみ連結梁１００を取り付ける態様を例に説明するものとし、第二収納領域２０側についての取り付け態様については説明を省略する。また図１０では、止水用シート４のうちの第一止水軸５よりも上側の部分については図示を省略している。
【００７１】
まず、補強用支柱９の下面に形成された突起部９１を、第三収納領域３０に形成された差込部３４に差し込む。次に、連結梁１００の両端部１０１、１０２を、それぞれ第一収納領域１０に形成された差込部１６Ａ、補強用支柱９に形成された差込部９３Ａに差し込む。
【００７２】
その後、連結梁１００の下面に形成されたロック機構１０３、１０４の軸部１０３Ｂ、１０４Ｂの一端側を押し下げることによって、他端側に突き出た状態で軸方向に固定する。
【００７３】
具体的には、軸部１０３Ｂを、差込部１６Ａに形成された開口部１６ａと連結梁１００の端部１０１に形成された開口部１０１ａとを貫通した状態で軸方向に固定させる。同様に、軸部１０４Ｂを、差込部９３Ａに形成された開口部９３ａと連結梁１００の端部１０２に形成された開口部１０２ａとを貫通した状態で軸方向に固定させる。
【００７４】
以上に示す取り付け動作により、連結梁１００は、補強用支柱９と第一収納領域１０に形成された差込部１６Ａとを連結する。連結梁１００は、このような態様で止水用シート４の背面側に取り付けられることによって、止水用シート４の背面側に取り付けられた補強用支柱９を補強する。これにより、図中奥側から手前側に向かって水が流れてきた場合であっても、止水用シート４の水圧に対する耐性を強化することができる。
【００７５】
図１１は、本実施形態に係る補強用支柱と一段目の連結梁と二段目の連結梁とを取り付けた場合の止水装置を示す図である。ここでは、止水装置１の使用時に図８に示した補強用支柱９及び図９に示した連結梁１００を二段取り付ける態様について説明する。
【００７６】
なお、説明の便宜上、図１０では図７の奥側から見た止水装置１を示している。また、ここでは止水用シート４の第一収納領域１０側にのみ連結梁１００を取り付ける態様を例に説明するものとし、第二収納領域２０側についての取り付け態様については説明を省略する。また、あらかじめ一段目の連結梁１００が取り付けられているものとする。
【００７７】
まず、補強用支柱９の上面に形成された軸受部９４と、第二止水軸６とを嵌合させる。次に、二段目の連結梁（以下、一段目の連結梁と区別するために「連結梁１１０」という、連結梁１１０の構成要素についても同様）の両端部１１１、１１２を、それぞれ第一収納領域１０に形成された差込部１６Ｂ、補強用支柱９に形成された差込部９３Ｂに差し込む。
【００７８】
その後、連結梁１１０の下面に形成されたロック機構１１３、１１４の軸部１１３Ｂ、１１４Ｂの一端側を押し下げることによって、他端側に突き出た状態で軸方向に固定する。
【００７９】
具体的には、軸部１１３Ｂを、差込部１６Ｂに形成された開口部１６ｂと連結梁１１０の端部１１１に形成された開口部１１１ａとを貫通した状態で軸方向に固定させる。同様に、軸部１１４Ｂを、差込部９３Ｂに形成された開口部９３ｂと連結梁１１０の端部１１２に形成された開口部１１２ａとを貫通した状態で軸方向に固定させる。
【００８０】
以上に示す取り付け動作により、補強用支柱９は第二止水軸６に連結するとともに、連結梁１１０は、補強用支柱９と第一収納領域１０に形成された差込部１６Ｂとを連結する。連結梁１００、１１０は、このような態様で止水用シート４の背面側に取り付けられることによって、止水用シート４の背面側に取り付けられた補強用支柱９を補強する。これにより、図中奥側から手前側に向かって水が流れてきた場合であっても、止水用シート４の水圧に対する耐性を強化することができる。
【００８１】
以上図８〜図１１を用いて説明してきたように、本実施形態に係る止水装置１では、補強用支柱９や複数の連結梁１００を用いる。また、取り付けられる連結梁１００の数は、二本の場合（図１０参照）と、四本の場合（図１１参照）との間で切り替え可能である。これにより、例えば図７の手前側から奥側へ向かう水の流れによって止水用シート４が受ける水圧に対する耐性を、水の水位に応じて段階的に強化することができる。
【００８２】
以上説明してきた本実施形態によれば、浸入しようとする水の多寡に応じて、止水する高さを簡易に変更できる。具体的には、第一止水軸５までの取り付けで止水可能である場合には、第一止水軸５までの取り付けのみによって出入口を塞ぎ、第一止水軸５までの取り付けで止水不可能な高さの場合には、第一止水軸５及び第二止水軸６を用いて出入口を塞ぐことができる。
【００８３】
なお、本実施形態では、止水装置１が上下二段の止水軸を備える場合を例に説明してきたが、三段以上の止水軸を備える構成にしてもよい。
【００８４】
以上、本発明の実施形態について説明したが、上記実施形態は本発明の適用例の一つを示したものであり、本発明の技術的範囲を上記実施形態の具体的構成に限定する趣旨ではない。本発明の要旨を逸脱しない範囲において種々変更可能である。
【符号の説明】
【００８５】
１  止水装置
５  第一止水軸
６  第二止水軸
７  第一の側方支柱
８  第二の側方支柱
９  補強用支柱
１０  第一収納領域
１４、１５  係合部
２０  第二収納領域
２４、２５  係合部
３０  第三収納領域
４０  収納部
１００  連結梁
Ｗ１、Ｗ２  壁面（側面）
Ｆ  床面
【図１Ａ】
2014047473.tif 000003
【図１Ｂ】
2014047473.tif 000004
【図２】
2014047473.tif 000005
【図３】
2014047473.tif 000006
【図４】
2014047473.tif 000007
【図５】
2014047473.tif 000008
【図６】
2014047473.tif 000009
【図７】
2014047473.tif 000010
【図８】
2014047473.tif 000011
【図９】
2014047473.tif 000012
【図１０】
2014047473.tif 000013
【図１１】
2014047473.tif 000014